(57)【特許請求の範囲】
【請求項１】
チャージポンプであって、
複数のモードから選択された選択モードで前記チャージポンプを動作させるべく構成されたモード制御回路と、
前記選択モードに基づく発振周波数を有するチャージポンプクロック信号を発生させるべく構成されたクロック発生回路と、
２以上のスイッチトキャパシタと、
キャパシタ充電回路と
を含み、
前記キャパシタ充電回路は、前記キャパシタ充電回路の高電力供給電圧と前記チャージポンプクロック信号のタイミングとに基づいて前記２以上のスイッチトキャパシタを充電するべく構成され、
前記チャージポンプクロック信号は第１位相及び第２位相を有し、
前記２以上のスイッチトキャパシタは第１スイッチトキャパシタ及び第２スイッチトキャパシタを含み、
前記キャパシタ充電回路は、前記第１位相の間に前記第１スイッチトキャパシタの第１端を前記高電力供給電圧によって充電して前記第１スイッチトキャパシタの第２端を低電力供給電圧によって充電するべく構成されるとともに、前記第２位相の間に前記第２スイッチトキャパシタの第１端を前記高電力供給電圧によって充電して前記第２スイッチトキャパシタの第２端を前記低電力供給電圧によって充電するべく構成され、
前記高電力供給電圧は前記選択モードに基づく電圧レベルを有するチャージポンプ。
【請求項２】
チャージポンプフィルタをさらに含み、
前記チャージポンプフィルタは、前記チャージポンプのチャージポンプ出力電圧をフィルタリングするべく構成され、
前記チャージポンプフィルタは前記選択モードに基づくフィルタリング特性を有する請求項１のチャージポンプ。
【請求項３】
前記フィルタリング特性は前記チャージポンプフィルタの抵抗を含む請求項２のチャージポンプ。
【請求項４】
前記キャパシタ充電回路は、前記選択モードに基づいて２以上の高電力供給電圧から前記キャパシタ充電回路の高電力供給電圧を選択するべく構成された複数の電力供給選択スイッチを含む請求項１のチャージポンプ。
【請求項５】
前記クロック発生回路は、
第１クロック信号を発生させるべく構成された第１クロック発生器と、
前記第１クロック信号よりも低速の発振周波数を有する第２クロック信号を発生させるべく構成された第２クロック発生器と、
前記第１クロック信号及び前記第２クロック信号を含む複数のクロック信号の中から一つを選択することに基づいて前記チャージポンプクロック信号を発生させるべく構成されたクロック選択回路と
を含む請求項１のチャージポンプ。
【請求項６】
前記キャパシタ充電回路は、
前記第１位相の間に前記第１スイッチトキャパシタの第２端を前記低電力供給電圧に電気的に接続するべく構成された第１チャージポンプスイッチと、
前記第２位相の間に前記第１スイッチトキャパシタの第２端をチャージポンプ出力に電気的に接続するべく構成された第２チャージポンプスイッチと、
前記第２位相の間に前記第２スイッチトキャパシタの第２端を前記低電力供給電圧に電気的に接続するべく構成された第３チャージポンプスイッチと、
前記第１位相の間に前記第２スイッチトキャパシタの第２端を前記チャージポンプ出力に電気的に接続するべく構成された第４チャージポンプスイッチと
を含む請求項１のチャージポンプ。
【請求項７】
前記キャパシタ充電回路はさらに、前記第２位相の間に前記第１スイッチトキャパシタの第１端を前記低電力供給電圧に電気的に接続するべく、かつ、前記第１位相の間に前記第２スイッチトキャパシタの第１端を前記低電力供給電圧に電気的に接続するべく構成される請求項６のチャージポンプ。
【請求項８】
前記２以上のモードは少なくとも３つのモードを含む請求項１のチャージポンプ。
【請求項９】
チャージポンプ出力電圧を発生させる方法であって、
モード制御回路を使用することによりチャージポンプの動作モードを、複数のモードから選択された選択モードとして選択することと、
クロック発生回路を使用することにより前記選択モードに基づいてチャージポンプクロック信号の周波数を制御することと、
キャパシタ充電回路を使用することにより２以上のスイッチトキャパシタを、前記キャパシタ充電回路の高電力供給電圧と前記チャージポンプクロック信号のタイミングとに基づいて充電することと、
前記選択モードに基づいて前記キャパシタ充電回路の高電力供給電圧の電圧レベルを制御することと
を含み、
前記チャージポンプクロック信号は第１位相及び第２位相を有し、
前記充電することは、前記第１位相の間に第１スイッチトキャパシタの第１端を前記高電力供給電圧によって充電して前記第１スイッチトキャパシタの第２端を低電力供給電圧によって充電することと、前記第２位相の間に第２スイッチトキャパシタの第１端を前記高電力供給電圧によって充電して前記第２スイッチトキャパシタの第２端を前記低電力供給電圧によって充電することとを含む方法。
【請求項１０】
前記選択モードに基づいてチャージポンプフィルタの抵抗を制御することをさらに含む請求項９の方法。
【請求項１１】
異なる周波数を有する複数のクロック信号を発生させることと、
前記複数のクロック信号の中から一つを選択して前記チャージポンプクロック信号を発生させることと
をさらに含む請求項９の方法。
【請求項１２】
前記高電力供給電圧の電圧レベルを制御することは、前記高電力供給電圧を、前記選択モードに基づいて２以上の高電力供給電圧から選択することを含む請求項９の方法。
【請求項１３】
前記第２位相の間に前記第１スイッチトキャパシタの第２端をチャージポンプ出力に電気的に接続するとともに、前記第１位相の間に前記第２スイッチトキャパシタの第２端を前記チャージポンプ出力に電気的に接続することをさらに含む請求項９の方法。
【請求項１４】
無線周波数システムであって、
増幅された無線周波数信号を発生させるべく構成された電力増幅器と、
前記増幅された無線周波数信号を受信するべく構成された入力部を含むスイッチと、
チャージポンプ出力電圧を受けるべくかつ前記スイッチの状態を制御するべく構成されたスイッチ制御器と、
前記チャージポンプ出力電圧を発生させるべく構成されたチャージポンプと
を含み、
前記チャージポンプは、複数のモードから選択された選択モードで前記チャージポンプを動作させるべく構成されたモード制御回路を含み、
前記チャージポンプはさらに、前記選択モードに基づく発振周波数を有するチャージポンプクロック信号を発生させるべく構成されたクロック発生回路を含み、
前記チャージポンプはさらに、
２以上のスイッチトキャパシタと、
キャパシタ充電回路と
を含み、
前記キャパシタ充電回路は、前記キャパシタ充電回路の高電力供給電圧と前記チャージポンプクロック信号のタイミングとに基づいて前記２以上のスイッチトキャパシタを充電するべく構成され、
前記チャージポンプクロック信号は第１位相及び第２位相を有し、
前記２以上のスイッチトキャパシタは第１スイッチトキャパシタ及び第２スイッチトキャパシタを含み、
前記キャパシタ充電回路は、前記第１位相の間に前記第１スイッチトキャパシタの第１端を前記高電力供給電圧によって充電して前記第１スイッチトキャパシタの第２端を低電力供給電圧によって充電するべく構成されるとともに、前記第２位相の間に前記第２スイッチトキャパシタの第１端を前記高電力供給電圧によって充電して前記第２スイッチトキャパシタの第２端を前記低電力供給電圧によって充電するべく構成され、
前記高電力供給電圧は前記選択モードに基づく電圧レベルを有する無線周波数システム。
【請求項１５】
前記チャージポンプはさらに、前記チャージポンプ出力電圧をフィルタリングするべく構成されたチャージポンプフィルタを含み、
前記チャージポンプフィルタは前記選択モードに基づくフィルタリング特性を有する請求項１４の無線周波数システム。
【請求項１６】
前記フィルタリング特性は前記チャージポンプフィルタのフィルタ抵抗を含む請求項１５の無線周波数システム。
【請求項１７】
前記キャパシタ充電回路は、前記選択モードに基づいて２以上の高電力供給電圧から前記キャパシタ充電回路の高電力供給電圧を選択するべく構成された複数の高電力供給選択スイッチを含む請求項１４の無線周波数システム。
【請求項１８】
前記クロック発生回路は、
第１クロック信号を発生させるべく構成された第１クロック発生器と、
前記第１クロック信号よりも低速の発振周波数を有する第２クロック信号を発生させるべく構成された第２クロック発生器と、
前記第１クロック信号及び前記第２クロック信号を含む複数のクロック信号の中から一つを選択することに基づいて前記チャージポンプクロック信号を発生させるクロック選択回路と
を含む請求項１４の無線周波数システム。
【請求項１９】
前記２以上のモードは少なくとも３つのモードを含む請求項１４の無線周波数システム。
【請求項２０】
前記キャパシタ充電回路はさらに、前記第２位相の間に前記第１スイッチトキャパシタの第２端をチャージポンプ出力に電気的に接続するべく構成されるとともに、前記第１位相の間に前記第２スイッチトキャパシタの第２端を前記チャージポンプ出力に電気的に接続するべく構成される請求項１４の無線周波数システム。
【発明の詳細な説明】
【技術分野】
【０００１】
本発明の実施形態は電子システムに関し、詳しくは無線周波数（ＲＦ）システム用のチャージポンプに関する。
【背景技術】
【０００２】
チャージポンプは、様々な電子システムに包含され得る。例えば、集積回路（ＩＣ）は、高電力供給電圧及び低電力供給電圧を使用することにより電力が供給され、ＩＣは、当該ＩＣの高電力供給電圧を上回る及び／又は当該ＩＣの低電力供給電圧を下回るチャージポンプ出力電圧を発生させる一以上のチャージポンプを含み得る。
【０００３】
一例において、無線デバイスは、チャージポンプが発生させたチャージポンプ電圧を使用することにより一部が制御されるＲＦスイッチを含み得る。例えば、チャージポンプは、オフ状態で動作するときの一以上のｎ型金属酸化物半導体（ＮＭＯＳ）スイッチトランジスタのゲート電圧にバイアスをかける負のチャージポンプ電圧を発生させるべく使用することができる。ＮＭＯＳスイッチトランジスタのゲート電圧を、低電力供給電圧を下回る電圧へと制御することにより、オフ状態インピーダンスを増大させることができる。これにより、マルチバンドアプリケーションにおいて分離性を向上させ及び／又は高調波性能を改善させることができる。
【０００４】
チャージポンプを改善する必要性が存在する。
【発明の概要】
【０００５】
一定の実施形態において、本開示はチャージポンプに関する。チャージポンプは、複数のモードから選択された選択モードで当該チャージポンプを動作させるべく構成されたモード制御回路と、当該選択モードに基づく発振周波数を有するチャージポンプクロック信号を発生させるべく構成されたクロック発生回路と、２以上のスイッチトキャパシタと、キャパシタ充電回路とを含む。キャパシタ充電回路は、当該キャパシタ充電回路の電力供給電圧とチャージポンプクロック信号のタイミングとに基づいて２以上のスイッチトキャパシタを充電させるべく構成され、電力供給電圧は当該選択モードに基づく電圧レベルを有する。
【０００６】
いくつかの実施形態において、チャージポンプはさらに、チャージポンプのチャージポンプ出力電圧をフィルタリングするべく構成されたチャージポンプフィルタを含む。チャージポンプフィルタは選択モードに基づくフィルタリング特性を有する。様々な実施形態において、フィルタリング特性はチャージポンプフィルタの抵抗を含む。
【０００７】
一定数の実施形態によれば、キャパシタ充電回路は、選択モードに基づいて２以上の高電力供給電圧からキャパシタ充電回路の電力供給電圧を選択するべく構成された複数の電力供給選択スイッチを含む。
【０００８】
様々な実施形態において、クロック発生回路は、第１クロック信号を発生させるべく構成された第１クロック発生器と、第１クロック信号よりも低速の発振周波数を有する第２クロック信号を発生させるべく構成された第２クロック発生器と、第１クロック信号及び第２クロック信号を含む複数のクロック信号の中から一つを選択することに基づいてチャージポンプクロック信号を生成するべく構成されたクロック選択回路とを含む。
【０００９】
いくつかの実施形態において、２以上のスイッチトキャパシタは第１スイッチトキャパシタ及び第２スイッチトキャパシタを含む。加えて、キャパシタ充電回路は、チャージポンプクロック信号の第１位相の間に第１スイッチトキャパシタの第１端を電力供給電圧によって充電するべく、かつ、当該チャージポンプクロック信号の第２位相の間に第２スイッチトキャパシタの第１端を当該電力供給電圧によって充電するべく構成される。
【００１０】
いくつかの実施形態において、チャージポンプはさらに、第１位相の間に第１スイッチトキャパシタの第２端を低電力供給電圧に電気的に接続するべく構成された第１チャージポンプスイッチと、第２位相の間に第１スイッチトキャパシタの第２端をチャージポンプ出力に電気的に接続するべく構成された第２チャージポンプスイッチと、第２位相の間に第２スイッチトキャパシタの第２端を当該低電力供給電圧に電気的に接続するべく構成された第３チャージポンプスイッチと、第１位相の間に第２スイッチトキャパシタの第２端を当該チャージポンプ出力に電気的に接続するべく構成された第４チャージポンプスイッチとを含む。一定の実施形態によれば、キャパシタ充電回路はさらに、第２位相の間に第１スイッチトキャパシタの第１端を低電力供給電圧に電気的に接続するべく、かつ、第１位相の間に第２スイッチトキャパシタの第１端を当該低電力供給電圧に電気的に接続するべく構成される。
【００１１】
一定数の実施形態において、２以上のモードは少なくとも３つのモードを含む。
【００１２】
一定の実施形態において、本開示は、チャージポンプ出力電圧を発生させる方法に関する。方法は、モード制御回路を使用することによりチャージポンプの動作モードを、複数のモードから選択された選択モードとして選択することを含む。方法はさらに、クロック発生回路を使用することにより選択モードに基づいてチャージポンプクロック信号の周波数を制御することを含む。方法はさらに、キャパシタ充電回路を使用することにより２以上のスイッチトキャパシタを充電することを含む。当該充電は、キャパシタ充電回路の電力供給電圧とチャージポンプクロック信号のタイミングとに基づく。方法はさらに、選択モードに基づいてキャパシタ充電回路の電力供給電圧の電圧レベルを制御することを含む。
【００１３】
いくつかの実施形態において、方法はさらに、選択モードに基づいてチャージポンプフィルタの抵抗を制御することを含む。
【００１４】
様々な実施形態において、方法はさらに、異なる周波数を有する複数のクロック信号を発生させることと、当該複数のクロック信号の中から一つを選択してチャージポンプクロック信号を発生させることとを含む。
【００１５】
いくつかの実施形態において、電力供給電圧の電圧レベルを制御することは、選択モードに基づいて２以上の高電力供給電圧から電力供給電圧を選択することを含む。
【００１６】
一定の実施形態において、本開示は無線周波数システムに関する。無線周波数システムは、増幅された無線周波数信号を発生させるべく構成された電力増幅器と、当該増幅された無線周波数信号を受信するべく構成された入力部を含むスイッチと、チャージポンプ出力電圧を受信して当該スイッチの状態を制御するべく構成されたスイッチ制御器と、当該チャージポンプ出力電圧を発生させるべく構成されたチャージポンプとを含む。チャージポンプは、複数のモードから選択された選択モードでチャージポンプを動作させるべく構成されたモード制御回路と、当該選択モードに基づく発振周波数を有するチャージポンプクロック信号を発生させるべく構成されたクロック発生回路と、２以上のスイッチトキャパシタと、キャパシタ充電回路とを含む。キャパシタ充電回路は、キャパシタ充電回路の電力供給電圧とチャージポンプクロック信号のタイミングとに基づいて２以上のスイッチトキャパシタを充電するべく構成され、当該電力供給電圧は選択モードに基づく電圧レベルを有する。
【００１７】
いくつかの実施形態において、チャージポンプはさらに、チャージポンプ出力電圧をフィルタリングするべく構成されたチャージポンプフィルタを含み、当該チャージポンプフィルタは選択モードに基づくフィルタリング特性を有する。
【００１８】
様々な実施形態において、フィルタリング特性は、チャージポンプフィルタのフィルタ抵抗を含む。
【００１９】
いくつかの実施形態において、キャパシタ充電回路は、選択モードに基づいて２以上の高電力供給電圧から当該キャパシタ充電回路の電力供給電圧を選択するべく構成された複数の電力供給選択スイッチを含む。
【００２０】
一定数の実施形態において、クロック発生回路は、第１クロック信号を発生させるべく構成された第１クロック発生器と、当該第１クロック信号よりも低速の発振周波数を有する第２クロック信号を発生させるべく構成された第２クロック発生器と、当該第１クロック信号及び当該第２クロック信号を含む複数のクロック信号の中から一つを選択することに基づいてチャージポンプクロック信号を生成するべく構成されたクロック選択回路とを含む。
【００２１】
いくつかの実施形態において、２以上のモードは少なくとも３つのモードを含む。
【００２２】
様々な実施形態において、２以上のスイッチトキャパシタは第１スイッチトキャパシタ及び第２スイッチトキャパシタを含む。加えて、キャパシタ充電回路は、チャージポンプクロック信号の第１位相の間に第１スイッチトキャパシタの第１端を電力供給電圧によって充電するべく、かつ、チャージポンプクロック信号の第２位相の間に第２スイッチトキャパシタの第１端を当該電力供給電圧によって充電するべく構成される。
【図面の簡単な説明】
【００２３】
【図１】一以上のチャージポンプを含み得る集積回路（ＩＣ）の一例の模式図である。
【図２】一以上のチャージポンプを含み得る代表的無線デバイスの模式的ブロック図である。
【図３】一以上のチャージポンプを含み得る無線周波数システムの一例の模式的ブロック図である。
【図４Ａ】チャージポンプの一実施形態の回路図である。
【図４Ｂ】チャージポンプの他実施形態の回路図である。
【図５】チャージポンプの他実施形態の回路図である。
【図６】チャージポンプの他実施形態の回路図である。
【図７】図７Ａは、パッケージ化されたモジュールの一実施形態の模式図である。図７Ｂは、図７Ａのパッケージ化されたモジュールの７Ｂ-７Ｂ線断面の模式図である。
【発明を実施するための形態】
【００２４】
ここに与えられる見出しは、あったとしても、便宜のみを目的とするので、特許請求の範囲に係る発明の範囲又は意味には必ずしも影響を与えない。
【００２５】
チャージポンプの整定時間は重要な配慮事項である。例えば、無線周波数（ＲＦ）アプリケーションにおいて、低速の整定時間を有するチャージポンプは、例えば電力増幅器のＲＦ出力信号に高調波を発生させることにより、システムレベルのタイミング仕様に干渉し及び／又はＲＦ性能を劣化させる可能性がある。加えて、チャージポンプの出力電圧における出力リップルの量も重要な配慮事項となり得る。例えば、フロントエンドモジュール（ＦＥＭ）アプリケーションにおいて、出力リップルに関連付けられた周波数スパイクがＲＦ信号と混合されて帯域外放射及び／又はスプリアスノイズを発生させる可能性がある。
【００２６】
チャージポンプは、望ましくないことだが、整定時間と出力リップルとの間のトレードオフを被り得る。一例において、チャージポンプのスイッチトキャパシタ回路群において使用されるフライングキャパシタのサイズと、当該チャージポンプのフィルタにおいて使用されるフィルタキャパシタのサイズとの比が、整定時間と出力リップルとの間のトレードオフを与え得る。他例において、フィルタキャパシタに直列の抵抗器を含めることにより出力リップルを小さくすることができるが、チャージポンプの整定時間の劣化も生じ得る。
【００２７】
特定のチャージポンプ実装が、整定時間と出力リップルとの間の一定のトレードオフと達成し得るが、かかる性能のトレードオフは、一の性能仕様の改善が他の性能仕様の劣化の代償となるので、非理想的となり得る。
【００２８】
ここに与えられるのは、チャージポンプのための装置及び方法である。一定の構成において、チャージポンプは、モード制御回路と、クロック信号を発生させるクロック発生回路と、２以上のスイッチトキャパシタと、クロック信号の遷移に応答して当該スイッチトキャパシタを充電するべく使用されるキャパシタ充電回路とを含む。モード制御回路は、キャパシタ充電回路の異なるクロック信号発振周波数と異なる電力供給電圧とに関連付けられた複数のモードの一つにおいてチャージポンプを動作させるべく使用することができる。例えば、一定の構成において、選択モードは、スイッチトキャパシタを充電する場合にキャパシタ充電回路が使用するクロック信号の発振周波数及び電力供給電圧の電圧レベルを制御する。
【００２９】
チャージポンプが異なる周波数及び異なる電力供給電圧で選択的に動作するように構成することにより、固定周波数及び固定電力供給電圧を使用する構成と比べて小さなキャパシタを使用することにより当該チャージポンプを実装することが可能となる。すなわち、チャージポンプは、コンパクトな面積を達成する一方で、当該チャージポンプが使用される特定のアプリケーションに関連付けられた整定時間及び／又は出力リップル仕様を満たすべく設定可能な調整可能モードを与えることができる。
【００３０】
したがって、チャージポンプは、チャージポンプの設計において典型的に遭遇する出力リップルと整定時間との間のトレードオフを緩和又は回避するべく使用することができる。さらに、チャージポンプは、一定の固定周波数及び／又は固定電圧チャージポンプ構成と比べて小さな定常状態自己消費電流を与えることができる。
【００３１】
一以上のチャージポンプを含み得る電子システムの概要
【００３２】
図１は、一以上のチャージポンプを含み得る集積回路（ＩＣ）１０の一例の模式図である。例示のＩＣ１０は、第１又は低電力供給電圧Ｖ１を受ける第１ピン５ａと、第２又は高電力供給電圧Ｖ２を受ける第２ピン５ｂとを含む。加えて、例示のＩＣ１０はさらに、スイッチ１２、チャージポンプ２２及びスイッチ制御器２３を含む。図面の明確性のため図１には例示しないが、ＩＣ１０は典型的に、追加のピン及び回路群も含む。
【００３３】
チャージポンプ２２は、低電力供給電圧Ｖ１を下回る又は高電力供給電圧Ｖ２を上回るチャージポンプ出力電圧を発生させるべく使用することができる。スイッチ制御器２３は、スイッチ１２を制御するべく一部が使用されるチャージポンプ電圧を受ける。例示のＩＣ１０は、フロントエンドモジュール（ＦＥＭ）、アンテナスイッチモジュール（ＡＳＭ）又は他の電子回路群を代表し得る。
【００３４】
一実施形態において、ＩＣ１０は、シリコン・オン・インシュレータ（ＳＯＩ）プロセスを使用することにより製造され、スイッチ１２はＳＯＩトランジスタを含む。
【００３５】
一定の構成において、チャージポンプ２２は、低電力供給電圧Ｖ１未満の電圧を発生させる。例えば、チャージポンプ出力電圧は、一以上のｎ型金属酸化物半導体（ＮＭＯＳ）スイッチトランジスタのゲート電圧に、当該ＮＭＯＳスイッチトランジスタがオフ状態で動作する場合にバイアスをかけるべく使用することができる。ＮＭＯＳスイッチトランジスタのゲート電圧を、低電力供給を下回る電圧まで制御することにより、オフ状態インピーダンスを増大させることができる。これにより、マルチバンドアプリケーションにおける分離を向上させることができる。しかしながら、チャージポンプ２２が高電力供給電圧Ｖ２よりも大きな電圧を発生させる構成のような他構成も可能である。
【００３６】
図２は、一以上のチャージポンプを含み得る代表的無線デバイスの模式的ブロック図である。
【００３７】
図２に描かれる代表的無線デバイス１１は、マルチバンド／マルチモード携帯電話のようなマルチバンド及び／又はマルチモードデバイスを代表し得る。例示の構成において、無線デバイス１１は、スイッチ１２、送受信器１３、アンテナ１４、電力増幅器１７、制御コンポーネント１８、コンピュータ可読媒体１９、プロセッサ２０、電池２１、チャージポンプ２２及びスイッチ制御器２３を含む。
【００３８】
送受信器１３は、アンテナ１４を介して送信されるＲＦ信号を発生させることができる。さらに、送受信器１３は、アンテナ１４から入来するＲＦ信号を受信することもできる。
【００３９】
理解されることだが、図２において送受信器１３として集合的に代表される一以上のコンポーネントにより、ＲＦ信号の送受信に関連付けられた様々な機能を達成することができる。例えば、単一のコンポーネントを、送信機能及び受信機能の双方を与えるべく構成することができる。他例において、送信機能及び受信機能は、別個のコンポーネントによって与えることができる。
【００４０】
同様に、理解されることだが、図２においてアンテナ１４として集合的に代表される一以上のコンポーネントにより、ＲＦ信号の送受信に関連付けられた様々なアンテナ機能を達成することができる。例えば、単一のアンテナを、送信機能及び受信機能の双方を与えるべく構成することができる。他例において、送信機能及び受信機能は、別個のアンテナによって与えることができる。さらなる他例において、無線デバイス１１に関連付けられた異なる帯域を、異なるアンテナによって与えることができる。
【００４１】
図２において、送受信器１３からの一以上の出力信号が、一以上の送信経路１５を介してアンテナ１４に与えられるように描かれる。図示の例において、異なる送信経路１５は、異なる帯域及び／又は異なる電力出力に関連付けられた出力経路を代表することができる。例えば、図示される２つの代表的電力増幅器１７は、異なる電力出力構成に関連付けられた増幅（例えば低電力出力及び高電力出力）及び／又は異なる帯域に関連付けられた増幅を代表することができる。図２は、２つの送信経路１５を使用する構成を例示するが、無線デバイス１１は、それよりも多い又は少ない送信経路１５を含むように適合させることができる。
【００４２】
電力増幅器１７は、例えば、ＧＳＭ（Ｇｌｏｂａｌ  Ｓｙｓｔｅｍ  ｆｏｒ  Ｍｏｂｉｌｅ）（登録商標）信号、ＣＤＭＡ（ｃｏｄｅ  ｄｉｖｉｓｉｏｎ  ｍｕｌｔｉｐｌｅ  ａｃｃｅｓｓ）信号、Ｗ−ＣＤＭＡ信号、ＷＬＡＮ（ｗｉｒｅｌｅｓｓ  ｌｏｃａｌ  ａｒｅａ  ｎｅｔｗｏｒｋ）信号、ＬＴＥ（Ｌｏｎｇ  Ｔｅｒｍ  Ｅｖｏｌｕｔｉｏｎ）信号及び／又はＥＤＧＥ信号を含む広範なＲＦ信号を増幅するべく使用することができる。
【００４３】
図２において、アンテナ１４からの一以上の検出信号は、一以上の受信経路１６を介して送受信器１３に与えられるように描かれる。図示の例において、異なる受信経路１６は、異なる帯域に関連付けられた経路を代表することができる。図２は、４つの受信経路１６を使用する構成を例示するが、無線デバイス１１は、それよりも多い又は少ない受信経路１６を含むように適合させることができる。
【００４４】
受信経路と送信経路との切り替えを容易にするべく、スイッチ１２は、アンテナ１４を、選択された送信又は受信の経路に電気的に接続するべく構成することができる。すなわち、スイッチ１２は、無線デバイス１１の動作に関連付けられた一定数の切り替え機能を与えることができる。一定の構成において、スイッチ１２は、例えば、異なる帯域間の切り替え、異なる電力モード間の切り替え、送信及び受信モード間の切り替え、又はこれらの何らかの組み合わせに関連付けられた機能を与える一定数のスイッチを含み得る。スイッチ１２は、信号のフィルタリング及び／又は二重化を含む追加機能を与えることもできる。
【００４５】
チャージポンプ２２は、チャージポンプ電圧を発生させるべく使用することができる。チャージポンプ電圧は、無線デバイス１１において様々な目的に使用することができる。例えば、一定の構成において、チャージポンプ２２が発生させたチャージポンプ電圧は、スイッチ制御器２３に与えられて一部がスイッチ１２にバイアスをかけるべく使用することができる。
【００４６】
図２は、一定の構成において、スイッチ１２、電力増幅器１７、チャージポンプ２２、スイッチ制御器２３及び／又は他の動作コンポーネント（複数可）の動作に関連付けられた様々な制御機能を制御するべく、制御コンポーネント１８を設けることができることを示す。一定の構成において、制御コンポーネント１８は、チャージポンプ２２に与えられるモード選択信号を発生させる。かかる構成において、制御コンポーネント１８は、無線デバイス１１の所望の動作を達成するべく、チャージポンプ２２の選択モードの動作を経時的に制御することができる。
【００４７】
しかしながら、無線デバイス１１のメモリに格納されたデータに基づいてチャージポンプ２２の選択された動作モードが決定される実装のような他構成も可能である。例えば、一定の構成において、メモリは、起動中に又は始動中にチャージポンプ２２の選択された動作モードに対応するデータを含むようにプログラムされ及び／又は動作中に当該データがプログラムされる揮発性メモリであり得る。他構成において、メモリは、例えば、フラッシュメモリ、リードオンリーメモリ（ＲＯＭ）、並びに／又は、ヒューズ及び／若しくはアンチヒューズを使用することにより実装されたメモリを含む不揮発性メモリとすることができ、当該不揮発性メモリには、製造中にデータをプログラムすることができる。かかる構成において、チャージポンプ２２は、特定のアプリケーションに適切な一定のチャージポンプモードメモリにプログラムすることにより、様々な異なるアプリケーションにおいて使用することができる。
【００４８】
一定の構成において、プロセッサ２０は、ここに記載される様々なプロセスの実装を容易にするべく構成することができる。プロセッサ２０は、コンピュータプログラム命令を使用することにより動作することができる。コンピュータプログラム命令は、プロセッサ２０に与えることができる。
【００４９】
一定の構成において、こうしたコンピュータプログラム命令は、特定の態様で動作するプロセッサ２０又は他のプログラム可能データ処理装置向けとなり得るコンピュータ可読メモリ１９に格納することもできる。
【００５０】
電池２１は、無線デバイス１１での使用に適切な任意の電池、例えばリチウムイオン電池であり得る。
【００５１】
図３は、一以上のチャージポンプを含み得るＲＦシステム２６の一例の模式的ブロック図である。例示のＲＦシステム２６は、スイッチ１２、アンテナ１４、チャージポンプ２２、スイッチ制御器２３、方向性結合器２４、電力増幅器バイアス回路３０、電力増幅器３２及び送受信器３３を含む。例示の送受信器３３は、ベースバンドプロセッサ３４、Ｉ／Ｑ変調器３７、混合器３８及びアナログ・デジタル変換器（ＡＤＣ）３９を含む。明確性のため図３には例示しないが、送受信器３３は、一以上の受信経路を経由して受信信号に関連付けられた回路群を含み得る。
【００５２】
ベースバンド信号プロセッサ３４は、Ｉ信号及びＱ信号を発生させるべく使用することができる。Ｉ信号及びＱ信号は、所望の振幅、周波数及び位相の正弦波又は正弦信号を代表するべく使用することができる。例えば、Ｉ信号は正弦波の同相分を代表するべく使用し、Ｑ信号は正弦波の直角分を代表するべく使用することができる。これらは、正弦波の等価表現となり得る。一定の実装において、Ｉ及びＱ信号は、デジタル形式でＩ／Ｑ変調器３７に与えることができる。ベースバンドプロセッサ３４は、ベースバンド信号を処理するべく構成された任意の適切なプロセッサであり得る。例えば、ベースバンドプロセッサ３４は、デジタル信号プロセッサ、マイクロプロセッサ、プログラム可能コア、又はこれらの任意の組み合わせを含み得る。さらに、いくつかの実装において、２以上のベースバンドプロセッサ３４は、ＲＦシステム２６に含めることができる。
【００５３】
Ｉ／Ｑ変調器３７は、ベースバンドプロセッサ３４からＩ及びＱ信号を受信し、かつ、当該Ｉ及びＱ信号を処理してＲＦ信号を発生させるべく構成することができる。例えば、Ｉ／Ｑ変調器３７は、Ｉ及びＱ信号をアナログ形式に変換するべく構成されたＤＡＣ、Ｉ及びＱ信号を無線周波数にアップコンバートする混合器、及びアップコンバートされたＩ及びＱ信号を結合して電力増幅器３２による増幅に適したＲＦ信号にする信号コンバイナを含み得る。一定の実装において、Ｉ／Ｑ変調器３７は、処理される信号の周波数成分をフィルタリングするべく構成された一以上のフィルタを含み得る。
【００５４】
電力増幅器バイアス回路３０は、ベースバンドプロセッサ３４からイネーブル信号ＥＮＡＢＬＥを受信し、当該イネーブル信号ＥＮＡＢＬＥを使用することにより電力増幅器３２のための一以上のバイアス信号を発生させることができる。電力増幅器３２は、送受信器３３のＩ／Ｑ変調器３７からＲＦ信号を受信し、増幅されたＲＦ信号を、スイッチ１２を介してアンテナ１４に与えることができる。
【００５５】
方向性結合器２４は、電力増幅器３２の出力とスイッチ１２の入力との間に配置することができる。これにより、電力増幅器３２の、スイッチ１２の挿入損失が含まれない出力電力測定が許容される。方向性結合器２４からの検知された出力信号を混合器３８に与えることができる。混合器３８は、検知された出力信号に、制御された周波数の基準信号を乗じることにより、当該検知された出力信号の周波数成分をダウンシフトしてダウンシフト信号を発生させることができる。ダウンシフト信号はＡＤＣ３９に与えることができる。ＡＤＣ３９は、ダウンシフト信号を、ベースバンドプロセッサ３４による処理に適したデジタル形式に変換することができる。
【００５６】
ベースバンドプロセッサ３４は、電力増幅器３２の出力とベースバンドプロセッサ３４との間のフィードバック経路を含むことにより、Ｉ及びＱ信号を動的に調整してＲＦシステム２６の動作を最適化するように構成することができる。例えば、ＲＦシステム２６をこのように構成することにより、電力増幅器３２の電力付加効率（ＰＡＥ）及び／又は線形性の制御を補助することができる。
【００５７】
例示の構成において、チャージポンプ２２は、スイッチ制御器２３にチャージポンプ出力電圧を与える。一定の構成において、チャージポンプ出力電圧は、スイッチ１２のスイッチトランジスタのゲート電圧にバイアスをかけるべく、スイッチ制御器２３によって使用される。例えば、チャージポンプ出力電圧は、一以上のＮＭＯＳスイッチトランジスタのゲート電圧に、当該ＮＭＯＳスイッチトランジスタがオフ状態で動作する場合にバイアスをかけるべく使用することができる。しかしながら、他構成も可能である。
【００５８】
チャージポンプ回路の例の概要
【００５９】
チャージポンプのための装置及び方法がここに開示される。一定の構成において、チャージポンプは、モード制御回路と、クロック信号を発生させるクロック発生回路と、２以上のスイッチトキャパシタと、クロック信号のタイミングに基づいて当該スイッチトキャパシタを充電するキャパシタ充電回路とを含む。モード制御回路は、キャパシタ充電回路の異なるクロック信号発振周波数と異なる電力供給電圧とに関連付けられた複数のモードの一つでチャージポンプを動作させるべく使用することができる。例えば、一定の構成において、選択モードは、キャパシタ充電回路がスイッチトキャパシタを充電する場合に使用するクロック信号の発振周波数と電力供給電圧の電圧レベルとを制御することができる。
【００６０】
したがって、チャージポンプは、キャパシタ充電回路の異なるクロック信号発振周波数及び異なる電力供給電圧に関連付けられた多重モードの一つで動作することができる。チャージポンプをこのように構成することにより、当該チャージポンプは、整定時間と出力リップルとの間の所望のトレードオフを与えるモードで動作することができる。
【００６１】
例えば、ここの教示は、出力リップルと整定時間との間のデジタル的に設定可能なトレードオフを与えるべく使用することができる。例えば、比較的厳しい出力リップル仕様を有するアプリケーションにおいて、チャージポンプは、小さな出力リップル及び長い整定時間に関連付けられた低速発振周波数／低電力供給電圧モードで動作する。しかしながら、高速整定時間が所望される場合、チャージポンプは、出力リップル増大を代償として整定時間をスピードアップさせるように、高速発振周波数／高電力供給電圧モードで動作され得る。
【００６２】
出力リップルと整定時間との間のトレードオフを精細に制御することが所望される構成において、チャージポンプは、異なるクロック周波数及び電力供給電圧に関連付けられた３以上のモードを使用することにより動作するように実装することができる。適切なクロック周波数に関連付けられたモードを選択することにより、特定のアプリケーションのための出力リップルと整定時間との間の所望のトレードオフを達成することができる。一定の構成において、チャージポンプのフィルタのフィルタ抵抗は、チャージポンプのモードに基づいてさらに制御することができる。
【００６３】
このように制御することができるチャージポンプを与えることにより、当該チャージポンプは、異なる出力リップル及び／又は整定時間仕様に関連付けられた様々なアプリケーションで使用することができる。例えば、チャージポンプを含む集積回路は、デジタル的にプログラム可能な出力リップル対整定時間曲線を有し得る。これにより、集積回路が、異なる性能仕様に関連付けられた広範なアプリケーションで使用されること、及び／又は動作条件若しくは必要性に基づいて動的に経時変化する性能を有することが可能となり得る。
【００６４】
図４Ａは、チャージポンプ７０の一実施形態の回路図である。チャージポンプ７０は、モード制御回路８１、キャパシタ充電回路８２、クロック発生回路８３、チャージポンプスイッチ８４、スイッチトキャパシタ８７及びチャージポンプフィルタ８８を含む。
【００６５】
図４Ａに示されるように、チャージポンプ７０は、チャージポンプ出力電圧端子ＶＣＰにチャージポンプ出力電圧を発生させる。チャージポンプ７０は開ループ構成で例示されるが、当該チャージポンプ７０は閉ループで使用することもできる。
【００６６】
モード制御回路８１は、選択された動作モードでチャージポンプ７０を動作させることができる。例示の構成において、モード制御回路８１は、一定の実装においてマルチビットデジタル信号となり得るモード信号ＭＯＤＥを発生させることができる。一実施形態において、モード信号ＭＯＤＥの状態が、３以上のモードから選択された選択モードでチャージポンプ７０を動作させる。
【００６７】
一定の構成において、モード制御回路８１は、どのモードでチャージポンプ７０を動作させるべきか決定するためのモード選択信号を受信する。例えば、モード選択信号は、図２の制御コンポーネント１８のような無線デバイスの制御回路から与えることができる。他構成において、モード制御回路８１は、選択された動作モードに対応するデータを含むプログラム可能メモリを含む。一例において、モード制御回路８１は、製造中に選択モードがプログラムされる不揮発性メモリを含み得る。他例において、モード制御回路８１は、起動中に選択モードがプログラムされるプログラム可能メモリを含み得る。
【００６８】
クロック発生回路８３はクロック信号ＣＬＫを発生させる。クロック信号ＣＬＫは、モード信号ＭＯＤＥの状態に基づいて変化する周波数を有する。一実施形態において、モード信号ＭＯＤＥは、第１モード、第２モード及び第３モードを含む３以上のモードから選択された選択モードでチャージポンプ８０を動作させる。加えて、クロック発生回路８３は、第１モードにおいてはクロック信号ＣＬＫを第１周波数ｆ１に制御し、第２モードにおいてはクロック信号ＣＬＫを第２周波数ｆ２に制御し、及び第３モードにおいてはクロック信号ＣＬＫを第３周波数ｆ３に制御する。
【００６９】
チャージポンプのクロック信号の発振周波数は、チャージポンプの性能に影響し得る。例えば、チャージポンプを比較的高速のクロック信号で動作させることにより、チャージ出力速度を増大させてチャージポンプの整定時間をスピードアップすることができる。しかしながら、チャージポンプを高速クロック信号で動作させることはまた、望ましくないことに、低速周波数で発振するクロック信号を使用する構成と比べて出力リップル及び／又は定常状態電力消費を増大させる。例示の構成は、選択された動作モードに基づいてチャージポンプのクロック信号の発振周波数を制御するので、出力リップルと整定時間との間の所望のトレードオフを達成するのに役立つ。
【００７０】
キャパシタ充電回路８２は、クロック信号ＣＬＫ、第１高電力供給電圧ＶＤＤ１、第２高電力供給電圧ＶＤＤ２及び第３高電力供給電圧ＶＤＤ３を受ける。キャパシタ充電回路８２はさらに、モード信号ＭＯＤＥを受ける。一実施形態において、モード信号ＭＯＤＥは、第１モード、第２モード及び第３モードを含む３以上のモードから選択された選択モードでチャージポンプ８０を動作させる。モード信号ＭＯＤＥが、チャージポンプ７０が第１動作モードで動作することを示す場合、キャパシタ充電回路８２は、第１高電力供給電圧ＶＤＤ１を使用することによりスイッチトキャパシタ８７の一部を充電する。加えて、モード信号ＭＯＤＥが、チャージポンプ７０が第２動作モード又は第３動作モードで動作することを示す場合、キャパシタ充電回路８２は、第２高電力供給電圧ＶＤＤ２又は第３高電力供給電圧ＶＤＤ３それぞれを使用することによりスイッチトキャパシタ８７の一部を充電する。キャパシタ充電回路８２の充電動作は、クロック信号ＣＬＫのタイミングに基づいて制御される。
【００７１】
このように、例示の構成において、キャパシタ充電回路８２は、少なくとも３つの高電力電圧から選択された電力供給電圧までスイッチトキャパシタ８７を充電することができる。図４Ａは、キャパシタ充電回路８２が３つの高電力供給電圧を受ける構成を例示するが、キャパシタ充電回路８２は、それよりも多い又は少ない高電力供給電圧を受けることもできる。選択電力供給電圧は、モード信号ＭＯＤＥの状態に基づいて選択することができる。例示の構成は、キャパシタ充電回路８２が、３つの高電力供給電圧の一つから選択された電力供給電圧を使用することにより動作する一例を与えるが、ここの教示は、キャパシタ充電回路が４つ以上の高電力供給電圧の一つを使用することにより動作する構成にも適用可能である。さらに、ここの教示は、充電回路８２の低電力供給電圧が動作モードに基づいて制御される構成にも適用可能である。
【００７２】
チャージポンプスイッチ８４は、キャパシタ充電回路８２とともに、異なるクロック信号位相の間にスイッチトキャパシタ８７の両端間の電圧を制御するべく動作する。一定の構成において、充電中における各スイッチトキャパシタ８７の両端間の電圧は、モード信号の状態に基づいて、ＶＤＤ１−ＶＳＳにほぼ等しく、ＶＤＤ２−ＶＳＳにほぼ等しく、又はＶＤＤ３−ＶＳＳにほぼ等しくなるように制御することができる。
【００７３】
例示のチャージポンプフィルタ８８は、チャージポンプ出力電圧端子ＶＣＰに発生したチャージポンプ出力電圧をフィルタリングするべく使用される。例示の構成において、モード制御回路８１はさらに、チャージポンプフィルタ８８のフィルタリング特性をモード信号ＭＯＤＥに基づいて制御するべく構成される。例えば、モード制御回路８１は、チャージポンプフィルタ８８により得られるフィルタリングの量を制御するべく、チャージポンプフィルタ８８のフィルタ抵抗又はフィルタ容量の少なくとも一つを制御することができる。
【００７４】
チャージポンプ７０は、出力リップルと整定時間との間のトレードオフを支配するデジタル制御を与えることができる。適切なクロック周波数、充電電圧及び出力フィルタリングに関連付けられた動作モードを選択することにより、特定のアプリケーションのための、出力リップルと整定時間との間の所望のトレードオフを達成することができる。
【００７５】
このように制御することができるチャージポンプを与えることにより、当該チャージポンプは、異なる出力リップル及び／又は整定時間仕様に関連付けられた様々なアプリケーションで使用することができる。例えば、チャージポンプを含む集積回路は、デジタル的にプログラム可能な出力リップル対整定時間曲線を有し得る。これにより、集積回路が、異なる性能仕様に関連付けられた広範なアプリケーションで使用されること、及び／又は動作条件若しくは必要性に基づいて動的に経時変化する性能を有することが可能となり得る。
【００７６】
図４Ｂは、チャージポンプ８０の他実施形態の回路図である。チャージポンプ８０は、モード制御回路１０１、キャパシタ充電回路１０２、クロック発生回路１０３、チャージポンプスイッチ１０４、第１スイッチト又はフライングキャパシタ１１１、第２スイッチトキャパシタ１１２、並びに、フィルタキャパシタ１３１、フィルタ抵抗器１３２、及び抵抗器バイパススイッチ１３３を含むチャージポンプフィルタ１０８を含む。
【００７７】
図４Ｂに示されるように、チャージポンプ８０は、チャージポンプ出力電圧端子ＶＣＰにチャージポンプ出力電圧を発生させる。チャージポンプ８０は開ループ構成で例示されるが、当該チャージポンプ８０は閉ループで使用することもできる。
【００７８】
モード制御回路１０１は、選択された動作モードでチャージポンプ８０を動作させることができる。例示の構成において、モード制御回路１０１は、論理高の非反転モード信号ＭＯＤＥ及び論理低の反転モード信号ＭＯＤＥ＿Ｂに関連付けられた第１モードか又は論理低の非反転モード信号ＭＯＤＥ及び論理高の反転モード信号ＭＯＤＥ＿Ｂに関連付けられた第２モードかのいずれかでチャージポンプ８０を動作させることができる。例示の構成において、非反転及び反転モード信号ＭＯＤＥ、ＭＯＤＥ＿Ｂは、集合的にチャージポンプモード信号として動作する。例示の構成は、チャージポンプが２つのモードの一つで動作する一例を与えるが、ここの教示は、モード制御回路が、３以上のモードから選択された選択モードでチャージポンプを動作させる構成にも適用可能である。
【００７９】
一定の構成において、モード制御回路１０１は、どのモードでチャージポンプ８０を動作させるべきか決定するためのモード選択信号を受信する。例えば、モード選択信号は、図２の制御コンポーネント１８のような無線デバイスの制御回路から与えることができる。他構成において、モード制御回路１０１は、選択された動作モードに対応するデータを含むプログラム可能メモリを含む。一例において、モード制御回路１０１は、製造中に選択モードがプログラムされる不揮発性メモリを含み得る。他例において、モード制御回路１０１は、起動中に選択モードがプログラムされるプログラム可能メモリを含み得る。
【００８０】
クロック発生回路１０３は、第１又は高速クロック信号を発生させる高速クロック発生回路１０５と、第２又は低速クロック信号を発生させる低速クロック発生回路１０６と、クロック選択回路１０７とを含む。加えて、クロック選択回路１０７は、非反転及び反転モード信号ＭＯＤＥ、ＭＯＤＥ＿Ｂを使用することにより、高速クロック信号と低速クロック信号との間の選択に基づいて非反転クロック信号ＣＬＫ及び反転クロック信号ＣＬＫＢを発生させる。例えば、非反転及び反転モード選択信号ＭＯＤＥ、ＭＯＤＥ＿Ｂが、チャージポンプ８０が第１動作モードで動作することを示す場合、クロック選択回路１０７は、高速クロック信号の選択に基づいて非反転及び反転クロック信号ＣＬＫ、ＣＬＫＢを発生させる。加えて、非反転及び反転モード選択信号ＭＯＤＥ、ＭＯＤＥ＿Ｂが、チャージポンプ８０が第２動作モードで動作することを示す場合、クロック選択回路１０７は、低速クロック信号の選択に基づいて非反転及び反転クロック信号ＣＬＫ、ＣＬＫＢを発生させる。例示の構成において、非反転及び反転クロック信号ＣＬＫ、ＣＬＫＢは、集合的にチャージポンプクロック信号として動作する。
【００８１】
チャージポンプのクロック信号の発振周波数は、チャージポンプの性能に影響し得る。例えば、チャージポンプを比較的高速のクロック信号で動作させることにより、チャージ出力速度を増大させてチャージポンプの整定時間をスピードアップすることができる。しかしながら、チャージポンプを高速クロック信号で動作させることはまた、望ましくないことに、低速周波数で発振するクロック信号を使用する構成と比べて出力リップル及び／又は定常状態電力消費を増大させる。例示の構成は、選択された動作モードに基づいてチャージポンプのクロック信号の発振周波数を制御するので、出力リップルと整定時間との間の所望のトレードオフを達成するのに役立つ。
【００８２】
例示の構成は、クロック発生回路が、異なる発振周波数の２つのクロック信号の一つの選択によりクロック信号を発生させる一例を与えるが、ここの教示は、クロック発生回路が、３以上の異なる発振周波数のクロック信号を発生させる構成にも適用可能である。さらに、図４Ｂは、多重の発振器又は発生器を含む構成を例示するが、ここの教示は、チューニング可能周波数を有する単一の発振器を含む構成にも適用可能である。
【００８３】
キャパシタ充電回路１０２は、非反転クロック信号ＣＬＫ、反転クロック信号ＣＬＫＢ、第１高電力供給電圧ＶＤＤ１及び第２高電力供給電圧ＶＤＤ２を受ける。キャパシタ充電回路１０２はさらに、非反転及び反転モード選択信号ＭＯＤＥ、ＭＯＤＥ＿Ｂを受ける。これにより、第１及び第２スイッチトキャパシタ１１１、１１２を充電するための電力供給電圧を選択するべくキャパシタ充電回路１０２を使用することができる。例えば、非反転及び反転モード選択信号ＭＯＤＥ、ＭＯＤＥ＿Ｂが、チャージポンプ８０が第１動作モードで動作することを示す場合、キャパシタ充電回路１０２は、第１高電力供給電圧ＶＤＤ１を使用することにより第１及び第２スイッチトキャパシタ１１１、１１２の一部を充電することができる。加えて、非反転及び反転モード選択信号ＭＯＤＥ、ＭＯＤＥ＿Ｂが、チャージポンプ８０が第２動作モードで動作することを示す場合、キャパシタ充電回路１０２は、クロック信号の遷移に応答して第２高電力供給電圧ＶＤＤ２を使用することにより第１及び第２スイッチトキャパシタ１１１、１１２の一部を充電することができる。
【００８４】
このように、例示の構成において、キャパシタ充電回路１０２は、第１高電力電圧ＶＤＤ１及び第２高電力電圧ＶＤＤ２から選択された電力供給電圧まで第１及び第２スイッチトキャパシタ１１１、１１２を充電することができる。選択電圧は、チャージポンプ８０の選択された動作モードに基づいて選択することができる。
【００８５】
例示の構成は、キャパシタ充電回路１０２が２つの高電力供給電圧の一つから選択された高電力供給を使用することにより動作する一例を与えるが、ここの教示は、キャパシタ充電回路が３以上の高電力供給電圧の一つを使用することにより動作する構成にも適用可能である。さらに、ここの教示は、充電回路１０２の低電力供給電圧が動作モードに基づいて制御される構成にも適用可能である。
【００８６】
チャージポンプスイッチ１０４は、キャパシタ充電回路１０２とともに、異なるクロック信号位相の間に第１及び第２スイッチトキャパシタ１１１、１１２の両端間の電圧を制御するべく動作する。一定の構成において、充電中における第１及び第２スイッチトキャパシタ１１１、１１２それぞれの両端間の電圧は、モード信号の状態に基づいて、ＶＤＤ１−ＶＳＳにほぼ等しいか又はＶＤＤ２−ＶＳＳにほぼ等しいかのいずれかに制御することができる。すなわち、チャージポンプ８０が第１モードで動作する場合、チャージポンプの出力電圧は、低電力供給電圧ＶＳＳに対して−ＶＤＤ１にほぼ等しくなり得る。加えて、チャージポンプ８０が第２モードで動作する場合、チャージポンプの出力電圧は、低電力供給電圧ＶＳＳに対して−ＶＤＤ２にほぼ等しくなり得る。
【００８７】
例示のチャージポンプ８０はチャージポンプフィルタ１０８も含む。チャージポンプフィルタ１０８は、フィルタキャパシタ１３１、フィルタ抵抗器１３２及び抵抗器バイパススイッチ１３３を含む。例示の構成において、モード制御回路１０１はさらに、選択モードに基づいてチャージポンプフィルタ１０８の抵抗を制御するべく構成される。例えば、チャージポンプ８０が第１動作モードで動作する場合、フィルタ抵抗器１３２は、抵抗器バイパススイッチ１３３を使用することによりバイパスし、チャージポンプに高速整定時間を与えることができる。しかしながら、チャージポンプ８０が第２動作モードで動作する場合、抵抗器バイパススイッチ１３３はオフにしてよく、フィルタ抵抗器１３２及びフィルタキャパシタ１３３は、小さな出力リップルを与えるＲＣフィルタとして動作することができる。
【００８８】
例示の構成は、フィルタ抵抗器が動作モードに基づいて選択的にバイパスされる一例を与えるが、ここの教示は他構成にも適用可能である。一例において、単一のチューニング可能抵抗器を使用することができる。他例において、チャージポンプフィルタ１０８は、異なる値の２以上のフィルタ抵抗器を含み、異なる動作モードに対して異なるフィルタ抵抗を与えることができる。
【００８９】
図５は、チャージポンプ１００の一実施形態の回路図である。チャージポンプ１００は、モード制御回路１０１と、キャパシタ充電回路１０２と、クロック発生回路１０３と、第１スイッチトキャパシタ１１１と、第２スイッチトキャパシタ１１２と、第１〜４スイッチ１２１〜１２４を含むチャージポンプスイッチ１１４と、フィルタキャパシタ１３１、フィルタ抵抗器１３２及び抵抗器バイパススイッチ１３３を含むチャージポンプフィルタ１０８とを含む。
【００９０】
図５に示されるように、チャージポンプ１００は、チャージポンプ出力電圧端子ＶＣＰにチャージポンプ出力電圧を発生させる。チャージポンプ１００は開ループ構成で例示されるが、当該チャージポンプ１００は閉ループで使用することもできる。
【００９１】
モード制御回路１０１は、選択された動作モードでチャージポンプ１００を動作させることができる。例示の構成において、モード制御回路１０１は、論理高の非反転モード信号ＭＯＤＥ及び論理低の反転モード信号ＭＯＤＥ＿Ｂに関連付けられた第１モードか又は論理低の非反転モード信号ＭＯＤＥ及び論理高の反転モード信号ＭＯＤＥ＿Ｂに関連付けられた第２モードかのいずれかでチャージポンプ１００を動作させることができる。例示の構成において、非反転及び反転モード信号ＭＯＤＥ、ＭＯＤＥ＿Ｂは、集合的にチャージポンプモード信号として動作する。例示の構成は、チャージポンプが２つのモードの一つで動作する一例を与えるが、ここの教示は、モード制御回路が、３以上のモードから選択された選択モードでチャージポンプを動作させる構成にも適用可能である。
【００９２】
一定の構成において、モード制御回路１０１は、どのモードでチャージポンプ１００を動作させるべきか決定するためのモード選択信号を受信する。例えば、モード選択信号は、図２の制御コンポーネント１８のような無線デバイスの制御回路から与えることができる。他構成において、モード制御回路１０１は、選択された動作モードに対応するデータを含むプログラム可能メモリを含む。一例において、モード制御回路１０１は、製造中に選択モードがプログラムされる不揮発性メモリを含み得る。他例において、モード制御回路１０１は、起動中に選択モードがプログラムされるプログラム可能メモリを含み得る。
【００９３】
クロック発生回路１０３は、第１又は高速クロック信号を発生させる高速クロック発生回路１０５と、第２又は低速クロック信号を発生させる低速クロック発生回路１０６と、クロック選択回路１０７とを含む。加えて、クロック選択回路１０７は、非反転及び反転モード信号ＭＯＤＥ、ＭＯＤＥ＿Ｂを使用することにより、高速クロック信号と低速クロック信号との間の選択に基づいて非反転クロック信号ＣＬＫ及び反転クロック信号ＣＬＫＢを発生させる。例えば、非反転及び反転モード選択信号ＭＯＤＥ、ＭＯＤＥ＿Ｂが、チャージポンプ１００が第１動作モードで動作することを示す場合、クロック選択回路１０７は、高速クロック信号の選択に基づいて非反転及び反転クロック信号ＣＬＫ、ＣＬＫＢを発生させる。加えて、非反転及び反転モード選択信号ＭＯＤＥ、ＭＯＤＥ＿Ｂが、チャージポンプ１００が第２動作モードで動作することを示す場合、クロック選択回路１０７は、低速クロック信号の選択に基づいて非反転及び反転クロック信号ＣＬＫ、ＣＬＫＢを発生させる。例示の構成において、非反転及び反転クロック信号ＣＬＫ、ＣＬＫＢは、集合的にチャージポンプクロック信号として動作する。
【００９４】
チャージポンプのクロック信号の発振周波数は、チャージポンプの性能に影響し得る。例えば、チャージポンプを比較的高速のクロック信号で動作させることにより、チャージ出力速度を増大させてチャージポンプの整定時間をスピードアップすることができる。しかしながら、チャージポンプを高速クロック信号で動作させることはまた、望ましくないことに、低速周波数で発振するクロック信号を使用する構成と比べて出力リップル及び／又は定常状態電力消費を増大させる。例示の構成は、選択された動作モードに基づいてチャージポンプのクロック信号の発振周波数を制御するので、出力リップルと整定時間との間のトレードオフを達成するのに役立つ。
【００９５】
例示の構成は、クロック発生回路が、異なる発振周波数の２つのクロック信号の一つの選択によりクロック信号を発生させる一例を与えるが、ここの教示は、クロック発生回路が、３以上の異なる発振周波数のクロック信号を発生させる構成にも適用可能である。さらに、図５は、多重の発振器又は発生器を含む構成を例示するが、ここの教示は、チューニング可能周波数を有する単一の発振器を含む構成にも適用可能である。
【００９６】
キャパシタ充電回路１０２は、非反転クロック信号ＣＬＫ、反転クロック信号ＣＬＫＢ、第１高電力供給電圧ＶＤＤ１及び第２高電力供給電圧ＶＤＤ２を受ける。キャパシタ充電回路１０２はさらに、非反転及び反転モード選択信号ＭＯＤＥ、ＭＯＤＥ＿Ｂを受ける。これにより、第１及び第２スイッチトキャパシタ１１１、１１２を充電するための電力供給電圧を選択するべくキャパシタ充電回路１０２を使用することができる。例えば、非反転及び反転モード選択信号ＭＯＤＥ、ＭＯＤＥ＿Ｂが、チャージポンプ１００が第１動作モードで動作することを示す場合、キャパシタ充電回路１０２は、第１高電力供給電圧ＶＤＤ１を使用することにより第１及び第２スイッチトキャパシタ１１１、１１２の一部を充電する。加えて、非反転及び反転モード選択信号ＭＯＤＥ、ＭＯＤＥ＿Ｂが、チャージポンプ１００が第２動作モードで動作することを示す場合、キャパシタ充電回路１０２は、クロック信号の遷移に応答して第２高電力供給電圧ＶＤＤ２を使用することにより第１及び第２スイッチトキャパシタ１１１、１１２の一部を充電することができる。
【００９７】
このように、例示の構成において、キャパシタ充電回路１０２は、第１高電力電圧ＶＤＤ１及び第２高電力電圧ＶＤＤ２から選択された電力供給電圧まで第１及び第２スイッチトキャパシタ１１１、１１２を充電することができる。選択電圧は、チャージポンプ１００の選択された動作モードに基づいて選択することができる。
【００９８】
例示の構成は、キャパシタ充電回路１０２が２つの高電力供給電圧の一つから選択された高電力供給を使用することにより動作する一例を与えるが、ここの教示は、キャパシタ充電回路が３以上の高電力供給電圧の一つを使用することにより動作する構成にも適用可能である。さらに、ここの教示は、充電回路１０２の低電力供給電圧が動作モードに基づいて制御される構成にも適用可能である。
【００９９】
第１〜４スイッチ１２１〜１２４は、キャパシタ充電回路１０２とともに、異なるクロック信号位相の間に第１及び第２スイッチトキャパシタ１１１、１１２の両端間の電圧を制御するべく動作することができる。例えば、クロック信号ＣＬＫの第１クロック信号位相の間、キャパシタ充電回路１０２は、チャージポンプの動作モードに基づいて第１充電キャパシタ１１１の第１端を第１高電力供給電圧ＶＤＤ１又は第２高電力供給電圧ＶＤＤ２のいずれかに電気的に接続することができる。加えて、クロック信号ＣＬＫの第１クロック信号位相の間、第１スイッチ１２１は閉となって、第１スイッチトキャパシタ１１１の第２端を低電力供給電圧ＶＳＳに電気的に接続することができる。さらに、クロック信号ＣＬＫの第２クロック信号位相の間、キャパシタ充電回路１０２は第１充電キャパシタ１１１の第１端を低電力供給電圧ＶＳＳに電気的に接続することができ、第２スイッチ１２２は第１充電キャパシタ１１１の第２端をチャージポンプ出力電圧端子ＶＣＰに電気的に接続することができる。
【０１００】
加えて、クロック信号ＣＬＫの第２クロック信号位相の間、キャパシタ充電回路１０２は、チャージポンプの動作モードに基づいて第２充電キャパシタ１１２の第１端を第１高電力供給電圧ＶＤＤ１又は第２高電力供給電圧ＶＤＤ２のいずれかに電気的に接続することができる。さらに、クロック信号ＣＬＫの第２クロック信号位相の間、第２スイッチ１２３は閉となって、第２スイッチトキャパシタ１１１の第２端を低電力供給電圧ＶＳＳに電気的に接続することができる。さらに、クロック信号ＣＬＫの第１クロック信号位相の間、キャパシタ充電回路１０２は第２充電キャパシタ１１２の第１端を低電力供給電圧ＶＳＳに電気的に接続することができ、第４スイッチ１２４は第２充電キャパシタ１１２の第２端をチャージポンプ出力電圧端子ＶＣＰに電気的に接続することができる
【０１０１】
したがって、充電中における第１及び第２スイッチトキャパシタ１１１、１１２それぞれの両端間の電圧は、モード信号の状態に基づいて、ＶＤＤ１−ＶＳＳにほぼ等しいか又はＶＤＤ２−ＶＳＳにほぼ等しいかのいずれかに制御することができる。このように、チャージポンプ１００が第１モードで動作する場合、チャージポンプの出力電圧は、低電力供給電圧ＶＳＳに対して−ＶＤＤ１にほぼ等しくなり得る。加えて、チャージポンプ１００が第２モードで動作する場合、チャージポンプの出力電圧は、低電力供給電圧ＶＳＳに対して−ＶＤＤ２にほぼ等しくなり得る。
【０１０２】
一定の構成において、チャージポンプが出力した最大電圧は、チャージポンプ出力電圧を受けるトランジスタの電圧過大ストレス及び／又は信頼性配慮事項により制限され得る。例えば、金属酸化物半導体電界効果トランジスタ（ＭＯＳＦＥＴ）が、シリコン・オン・インシュレータ（ＳＯＩ）ＲＦスイッチアプリケーションにおいてのようなスイッチとして使用される構成では、ＭＯＳＦＥＴは、例えば２．５Ｖのような最大ゲート・ドレイン間及び／又はゲート・ソース間電圧を有する定格とされる。チャージポンプが過大ストレス及び／又は信頼性仕様に準拠したチャージポンプ出力電圧を発生させることが望ましいといえる。
【０１０３】
例示の構成において、第１及び第２高電力供給電圧ＶＤＤ１、ＶＤＤ２の電圧レベルは、チャージポンプの出力電圧が、当該チャージポンプ出力電圧を受けるトランジスタの電圧過大ストレス及び／又は信頼性配慮事項を満たすように選択することができる。例えば、第１高電力供給電圧ＶＤＤ１は最大トランジスタ過大ストレス電圧以下となるように選択することができ、第２高電力供給電圧ＶＤＤ２は第１高電力供給電圧ＶＤＤ１未満となるように選択することができる。
【０１０４】
対照的に、一定の従来型チャージポンプは、固定電圧高電力供給の規模未満の規模を有するチャージポンプ出力電圧を与えるべく単一の固定電圧高電力供給に直列の抵抗器ドロップ又はダイオードドロップを利用することによって電圧信頼性仕様を満たす。かかる構成は、所望の規模のチャージポンプ出力電圧を発生させることができるが、このようにチャージポンプを構成することは、チャージポンプの整定時間及び／又はＩ＊Ｒ電力損失を著しく増大させ得る。
【０１０５】
例示のチャージポンプ１５０はチャージポンプフィルタ１０８も含む。チャージポンプフィルタ１０８は、フィルタキャパシタ１３１、フィルタ抵抗器１３２及び抵抗器バイパススイッチ１３３を含む。例示の構成において、モード制御回路１０１はさらに、選択モードに基づいてチャージポンプフィルタ１０８の抵抗を制御するべく構成される。例えば、チャージポンプ１００が第１動作モードで動作する場合、フィルタ抵抗器１３２は、抵抗器バイパススイッチ１３３を使用することによりバイパスし、チャージポンプに高速整定時間を与えることができる。しかしながら、チャージポンプ１００が第２動作モードで動作する場合、抵抗器バイパススイッチ１３３はオフにしてよく、フィルタ抵抗器１３２及びフィルタキャパシタ１３３は、小さな出力リップルを与えるＲＣフィルタとして動作することができる。
【０１０６】
例示の構成は、フィルタ抵抗器が動作モードに基づいて選択的にバイパスされる一例を与えるが、ここの教示は他構成にも適用可能である。一例において、単一のチューニング可能抵抗器を使用することができる。他例において、チャージポンプフィルタ１０８は、異なる値の２以上のフィルタ抵抗器を含み、異なる動作モードに対して異なるフィルタ抵抗を与えることができる。
【０１０７】
図６は、チャージポンプ１５０の実施形態の回路図である。図６のチャージポンプ１５０は図５のチャージポンプ１００に類似する。ただし、チャージポンプ１５０が、異なる実装のキャパシタ充電回路１５２及びクロック発生回路１５３を含む点を除く。
【０１０８】
例えば、クロック発生回路１５３は、高速及び低速クロック発生回路１０５、１０６と、第１クロック選択スイッチ１５７、第２クロック選択スイッチ１５８及び反転器１５９を含むクロック選択回路とを含む。非反転モード信号ＭＯＤＥが論理高の場合、第１クロック選択スイッチ１５７が閉かつ第２クロック選択スイッチ１５８が開となることで、高速クロック発生回路１０５することにより非反転及び反転クロック信号ＣＬＫ、ＣＬＫＢが発生する。加えて、非反転モード信号ＭＯＤＥが論理低の場合、第１クロック選択スイッチ１５７が開かつ第２クロック選択スイッチ１５８が閉となることで、低速クロック発生回路１０６を使用することにより非反転及び反転クロック信号ＣＬＫ、ＣＬＫＢが発生する。
【０１０９】
キャパシタ充電回路１５２は第１バッファ１６１を含む。第１バッファ１６１は、非反転クロック信号ＣＬＫを受信して第１スイッチングキャパシタ１１１の第１端の電圧レベルを制御する。キャパシタ充電回路１５２はさらに第２バッファ１６２を含む。第２バッファ１６２は、反転クロック信号ＣＬＫＢを受信して第２スイッチングキャパシタ１１２の第１端の電圧レベルを制御する。キャパシタ充電回路１５２はさらに、キャパシタ充電回路１５２のための高電力供給を制御するべく使用される第１〜４電力供給選択スイッチ１７１〜１７４を含む。例えば、チャージポンプ１５０が第１モードで動作する場合、第１及び第２バッファ１６１、１６２は、第１高電力供給電圧ＶＤＤ１及び低電力供給電圧ＶＳＳを使用することにより電力が供給される。加えて、チャージポンプ１５０が第２モードで動作する場合、第１及び第２バッファ１６１、１６２は、第２高電力供給電圧ＶＤＤ２及び低電力供給電圧ＶＳＳを使用することにより電力が供給される。第１高電力供給電圧ＶＤＤ１は、第２高電力供給電圧ＶＤＤ２の電圧レベルより高い電圧レベルを有するように選択することができる。
【０１１０】
したがって、例示のチャージポンプ１５０は、整定時間をスピードアップさせる高速発振周波数／高電力供給電圧モードか又は小さな出力リップルに関連付けられた低速発振周波数／低電力供給電圧モードかのいずれかで動作することができる。
【０１１１】
チャージポンプ１５０の付加的な詳細は、先に述べたものと同様であり得る。
【０１１２】
図７Ａは、パッケージ化されたモジュール３００の一実施形態の模式図である。図７Ｂは、図７Ａのパッケージ化されたモジュール３００の７Ｂ-７Ｂ線断面の模式図である。
【０１１３】
パッケージ化されたモジュール３００は、ＩＣ又はダイ３０１、表面搭載コンポーネント３０３、ワイヤーボンド３０８、パッケージ基板３２０及び封入構造物３４０を含む。パッケージ基板３２０は、中に設けられた導体から形成されたパッド３０６を含む。加えて、ダイ３０１はパッド３０４を含み、ワイヤーボンド３０８は、ダイ３０１のパッド３０４をパッケージ基板３０１のパッド３０６に電気的に接続するべく使用されている。
【０１１４】
図１０Ａ及び１０Ｂに例示されるように、ダイ３０１は、チャージポンプ２２、スイッチ制御器２３及びスイッチ１２を含む。これらは、先に述べられたものであり得る。
【０１１５】
パッケージング基板３２０は、ダイ３０１及び表面搭載コンポーネント３０３のような複数のコンポーネントを受けるべく構成することができる。表面搭載コンポーネント３０３は、例えば、表面搭載キャパシタ及び／又はインダクタを含み得る。
【０１１６】
図７Ｂに示されるように、パッケージ化されたモジュール３００は、ダイ３０１を搭載するべく使用された側面に対向するパッケージ化されたモジュール３００の側面に設けられた複数のコンタクトパッド３３２を含むように示される。パッケージ化されたモジュール３００をこのように構成することにより、パッケージ化されたモジュール３００を、無線デバイスの電話基板のような回路基板に接続することが補助される。代表的コンタクトパッド３３２は、ＲＦ信号、バイアス信号、低電力電圧（複数可）及び／又は高電力電圧（複数可）をダイ３０１及び／又は表面搭載コンポーネント３０３に与えるべく構成することができる。図７Ｂに示されるように、コンタクトパッド３３２とダイ３０１との電気的接続は、パッケージ基板３２０を通る接続部３３３によって容易となり得る。接続部３３３は、多層積層パッケージ基板のビア及び導体に関連付けられた接続部のような、パッケージ基板３２０を通るように形成された電気的経路を代表し得る。
【０１１７】
いくつかの実施形態において、パッケージ化されたモジュール３００はまた、例えば、保護を与え及び／又はパッケージ化されたモジュール３００の取り扱いを容易にする一以上のパッケージング構造物も含み得る。かかるパッケージング構造物は、パッケージング基板３２０とその上に設けられたコンポーネント及びダイ（複数可）とを覆うように形成された外側被覆又は封入構造物３４０を含み得る。
【０１１８】
理解されるように、パッケージ化されたモジュール３００は、ワイヤーボンドに基づく電気的接続部の文脈で記載されるが、本開示の一以上の特徴は、例えばフリップチップ構成を含む他のパッケージング構成において実装することもできる。
【０１１９】
アプリケーション
【０１２０】
上述の実施形態のいくつかが、無線デバイス又は携帯電話に関連する例を与えてきた。しかしながら、当該実施形態の原理及び利点は、チャージポンプを必要とする任意の他のシステム又は装置に使用することもできる。
【０１２１】
かかるチャージポンプは、様々な電子デバイスに実装することができる。電子デバイスの例は、消費者電子製品、消費者電子製品の部品、電子試験機器等を含み得るがこれらに限られない。電子デバイスの例は、メモリチップ、メモリモジュール、光ネットワーク又は他の通信ネットワークの回路、及びディスクドライバ回路も含み得るがこれらに限られない。消費者電子製品は、携帯電話、電話、テレビ、コンピュータモニタ、コンピュータ、ハンドヘルドコンピュータ、パーソナルデジタルアシスタント（ＰＤＡ）、電子レンジ、冷蔵庫、自動車、ステレオシステム、カセットレコーダ又はプレーヤ、ＤＶＤプレーヤ、ＣＤプレーヤ、ビデオデッキ、ＭＰ３プレーヤ、ラジオ、ビデオカメラ、カメラ、デジタルカメラ、ポータブルメモリチップ、洗濯機、乾燥機、洗濯／乾燥機、コピー機、ファクシミリ装置、スキャナ、多機能周辺デバイス、腕時計、クロック等を含み得るがこれらに限られない。さらに、電子デバイスは未完成の製品も含み得る。
【０１２２】
結論
【０１２３】
本明細書及び特許請求の範囲全体にわたり、文脈上そうでないことが明らかでない限り、「含む」等の用語は、排他的又は網羅的な意味とは反対の包括的意味に、すなわち「〜を含むがこれらに限られない」との意味に解釈すべきである。ここで一般に使用される用語「結合」は、直接接続されるか又は一以上の中間要素を介して接続されるかいずれかとなり得る２以上の要素を言及する。同様に、ここで一般に使用される用語「接続」も、直接接続されるか又は一以上の中間要素を介して接続されるかのいずれかとなり得る２以上の要素を言及する。加えて、用語「ここ」、「上」、「下」及び同様の趣旨の用語は、本願において使用される場合、本願全体を言及し、本願の任意の特定部分を言及するわけではない。文脈が許容する場合、単数又は複数の上述の詳細な説明における用語はそれぞれ、複数又は単数をも含み得る。２以上の項目のリストを参照する用語「又は」及び「若しくは」について、当該用語は以下の解釈のすべてをカバーする。すなわち、当該リストの任意の項目、当該リストのすべての項目、及び当該リストの項目の任意の組み合わせである。
【０１２４】
さらに、ここに使用される条件的言語、とりわけ、「できる」、「し得る」、「してよい」、「かもしれない」、「例えば」、「のような」等は、特に明示されない限り、又は、使用される文脈内でそうでないと理解されない限り、一定の実施形態が一定の特徴、要素及び／又は状態を含むが他の実施形態は含まないことを伝えることが一般に意図される。このように、かかる条件的言語は一般に、特徴、要素及び／又は状態が一以上の実施形態にとって多少なりとも必要とされることを示唆すること、又は、作者の入力又は促しのあり又はなしで、一以上の実施形態が、これらの特徴、要素及び／又は状態が任意の特定の実施形態に含まれ又は任意の特定の実施形態において行われるか否かを決定する論理を必ず含むことを示唆することを意図しない。
【０１２５】
本発明の実施形態の上記詳細な説明は、排他的であることすなわち本発明を上記開示の正確な形態に制限することを意図しない。本発明の及びその例の特定の実施形態が例示を目的として上述されたが、当業者が認識するように、本発明の範囲において様々な均等の修正も可能である。例えば、プロセス又はブロックが所与の順序で提示されるが、代替実施形態は、異なる順序でステップを有するルーチンを行うこと又はブロックを有するシステムを用いることができ、いくつかのプロセス又はブロックは削除、移動、追加、細分化、結合、及び／又は修正をすることができる。これらのプロセス又はブロックはそれぞれが、様々な異なる態様で実装することができる。また、プロセス又はブロックが直列的に行われるように示されることがあるが、これらのプロセス又はブロックは、その代わりに、並列して行い又は異なる時に行うこともできる。
【０１２６】
ここに与えられた本発明の教示は、上述のシステムに限られることなく、他のシステムにも適用することができる。上述の様々な実施形態要素及び行為は、さらなる実施形態を与えるべく組み合わせることができる。
【０１２７】
本発明の一定の実施形態が記載されたが、これらの実施形態は、例のみとして提示されており、本開示の範囲を制限することを意図しない。実際、ここに記載の新規な方法及びシステムは、様々な他の形態で具体化することができる。さらに、ここに記載の方法及びシステムの形態における様々な省略、置換及び変更が、本開示の要旨から逸脱することなくなし得る。添付の特許請求の範囲及びその均等物が、本開示の範囲及び要旨に収まるかかる形態又は修正をカバーすることが意図される。
【図１】
0006411972.tif 000002
【図２】
0006411972.tif 000003
【図３】
0006411972.tif 000004
【図４Ａ】
0006411972.tif 000005
【図４Ｂ】
0006411972.tif 000006
【図５】
0006411972.tif 000007
【図６】
0006411972.tif 000008
【図７】
0006411972.tif 000009